(57)【要約】【課題】より簡単かつ確実に不具合を分析することができる端末網制御装置を提供することを目的とする。【解決手段】センタ装置１１と電話回線１３を介して通信を行い、メータ１６を接続する端末網制御装置１５において、空き端子２４を有し、メータ１６からの情報を取得してセンタ装置１１と通信する際の動作状態を時系列で一時的に記憶しながら空き端子２４に動作状態のデータを出力し、通信が正常終了した場合は一時的に記憶していた動作状態のデータを消去し、通信が中断した場合は一時的に記憶していた動作状態のデータを記憶保存する。【選択図】図２
2012095100.tif 000002
【特許請求の範囲】
【請求項１】
センタ装置と電話回線を介して通信を行い、メータを接続する端末網制御装置において、
空き端子を有し、前記メータからの情報を取得して前記センタ装置と通信する際の動作状態を時系列で一時的に記憶しながら前記空き端子に動作状態のデータを出力し、前記通信が正常終了した場合は前記一時的に記憶していた動作状態のデータを消去し、前記通信が中断した場合は前記一時的に記憶していた動作状態のデータを記憶保存することを特徴とする端末網制御装置。
【請求項２】
前記記憶保存した動作状態のデータを元に前記端末網制御装置の動作状態を再現する手段を備えたことを特徴とする請求項１記載の端末網制御装置。
【請求項３】
前記動作状態のデータは前記端末網制御装置の動作状態を処理の種類ごとにパルス幅を変えて構成され、前記メータ及び前記センタ装置との通信状態のときは通信電文そのままのパルス幅としたことを特徴とする請求項１又は請求項２に記載の端末網制御装置。
【発明の詳細な説明】
【技術分野】
【０００１】
本発明は、端末網制御装置に関し、特に、センタ装置と電話回線を介してセンタ装置からの起動で開始するセンタ通信、メータからの起動で開始する端末発呼通信によりデータ伝送を行う端末網制御装置に関するものである。
【背景技術】
【０００２】
従来、例えば、各消費者宅のガスや水道の使用量の検針やセキュリティを管理するシステムとして、各消費者宅ごとに設けられた端末網制御装置を電話回線と接続し、電話回線と接続されたセンタ装置（ホストコンピュータ）と通信可能とすることにより、端末網制御装置と接続されたガスや水道等のメータの情報の送信等を行えるシステムがある。
【０００３】
この場合の端末網制御装置の通信は電話回線での通信であるため端末網制御装置の回路基板を加工して配線を接続しそれをモニタしないかぎり現場のものには通信状態がわからなかった。通信が正常に完了したかどうかはセンタ側装置での表示で確認できるが、センタ側装置において、登録している端末網制御装置のなかで長期間データ送信されない場合、何らかの不具合発生が考えられ現地に調査にいく場合がある。特許文献１においては、特別な表示装置を接続して通信データを出力するようにしている技術が記載されている。
【先行技術文献】
【特許文献】
【０００４】
【特許文献１】特開平６−９０３０１号公報
【発明の概要】
【発明が解決しようとする課題】
【０００５】
しかし、特許文献１の技術では、特別な表示装置が必要であり、また不具合が常に再現しなければ確認することができない。しかも通信データに関することのみしか表示で確認できないので、端末網制御装置がデータ送信以外での不具合（センタ無応答、メータ故障、端末網制御装置故障）を判別することができない。
【０００６】
本発明は、上記課題に鑑みて、より簡単かつ確実に不具合を分析することができる端末網制御装置を提供することを目的とする。
【課題を解決するための手段】
【０００７】
上記目的を達成するため、本発明の端末網制御装置は、センタ装置と電話回線を介して通信を行い、メータを接続する端末網制御装置において、空き端子を有し、前記メータからの情報を取得して前記センタ装置と通信する際の動作状態を時系列で一時的に記憶しながら前記空き端子に動作状態のデータを出力し、前記通信が正常終了した場合は前記一時的に記憶していた動作状態のデータを消去し、前記通信が中断した場合は前記一時的に記憶していた動作状態のデータを記憶保存することを特徴とする。
【０００８】
さらに本発明の端末網制御装置は、前記記憶保存した動作状態のデータを元に前記端末網制御装置の動作状態を再現する手段を備えたことを特徴とする。
さらに本発明の端末網制御装置は、前記動作状態のデータは前記端末網制御装置の動作状態を処理の種類ごとにパルス幅を変えて構成され、前記メータ及び前記センタ装置との通信状態のときは通信電文そのままのパルス幅としたことを特徴とする。
【発明の効果】
【０００９】
本発明によれば、メータと接続され電話回線を介してセンタ装置と通信できる端末網制御装置において、より簡単かつ確実に不具合を分析することができる。
【図面の簡単な説明】
【００１０】
【図１】本発明の端末網制御装置が適用される通信システムの一実施形態を示す構成図。
【図２】本発明の端末網制御装置の一実施形態を示すブロック図。
【図３】本発明の端末網制御装置において、端末発呼を正常終了した場合の端末網制御装置の動作状態の遷移図と空き端子が出力する波形を示す図。
【図４】本発明の端末網制御装置において、端末発呼を正常終了できずセンタ装置からの応答を検知できなかった場合の端末網制御装置の動作状態の遷移図と空き端子が出力する波形を示す図。
【図５】本発明の端末網制御装置において、端末発呼を正常終了できずダイヤル動作しなかった場合の端末網制御装置の動作状態の遷移図と空き端子が出力する波形を示す図。
【図６】本発明の端末網制御装置において、端末発呼時の動作状態の実施形態を示す動作フローチャート。
【図７】本発明の端末網制御装置において、端末発呼時、空き端子４に出力するパルス幅の例。
【発明を実施するための形態】
【００１１】
本発明を実施するための形態を説明する。
【００１２】
図１は本発明の端末網制御装置が適用される通信システムの一実施形態を示す構成を示している。１１はセンタ装置、１２はセンタ側交換局、１３は電話回線、１４は端末側交換局、１５は端末網制御装置、１６はメータ、１７は電話機でありこれらによりこのシステムは構成されている。
【００１３】
センタ装置１１は、ホストコンピューター等により構成され各端末網制御装置１５からの情報を電話回線１３を介して収集したり、各端末網制御装置１５に情報を発信したりすることが可能である。端末網制御装置１５は、例えば、各消費者宅ごと等に設置されて、それぞれの端末網制御装置１５はメータ１６や電話機１７と接続されている。メータ１６は、例えば，ガスや水道の使用量を示すメータが挙げられるがこれらに限ったものではない。電話機１７は、宅内等に設置されている電話機である。センタ側交換局１２は、センタ装置１１と接続されるセンタ装置１１側の交換局であり、端末側交換局１４は端末網制御装置１５と接続される端末網制御装置１５側の交換局である。これらの交換局の間は、電話回線１３で接続されている。
【００１４】
図２は、図１の通信システムにおける端末網制御装置１５の構成で、１８は回線制御部、１９はマイクロコンピュータ、２０はメモリ、２１はオフフック検知部、２２は電源部、２３はメータＩ／Ｆ部、２４は空き端子にて構成されている。
【００１５】
マイクロコンピュータ１９は、後述する制御を行う。そして、メモリ２０は、その制御に伴い必要なデータを記憶しておく。また、回線制御部１８は、マイクロコンピュータ１９に連動して回線１３の制御を行う。オフフック検知部２１は、電話機１７がオフフックか否かを検知できる検知部である。電源部２２からは、必要な電力が供給される。また、メータ１６とマイクロコンピュータ１９は、メータＩ／Ｆ部２３を介して接続されている。また、マイクロコンピュータ１９は、メータＩ／Ｆ部２３を介して空き端子２４とも接続されている。この空き端子２４は、後述する表示装置等が接続できる端子となっている。
【００１６】
図３は、端末発呼を正常終了した場合の端末網制御装置１５の動作状態の遷移図と空き端子２４が出力する波形を示す図である。端末網制御装置１５のマイクロコンピュータ１９では、スタンバイ状態１０１から、メータ１６からの情報が入力されるとメータ通信１０２を開始する。メータからの情報は、例えば、検針情報やセキュリティ情報等である。次に、電話回線１３を介して外部からの通信要求があるかのリンガーチェック１０３を行い、オフフックか否かのオフフックチェック１０４、端末網制御装置１５のループ１０５状態を経て、センタ装置１１へダイヤル１０６を開始する。次に、センタ装置１１の応答待ち１０７をし、センタ装置１１とのセンタ通信１０８を行う。そして、センタ通信が終了したらスタンバイ状態１０９に戻る。このとき、終了電文をセンタ装置１１から受信すると正常終了となる。
【００１７】
一方、端末網制御装置１５（マイクロコンピュータ１９）は、これらの処理に併せて、端子出力波形３００を時系列で生成して空き端子２４へ出力する。この波形は、各処理毎にパルス幅を変えるなどして、どの波形がどの処理に該当するが分かるようにすることができる。具体例は後述する。この端子出力波形３００は、一旦、メモリ２０に保存されるが、終了電文を受信して正常終了となった場合は、記憶していたデータを破棄する。
【００１８】
図４は、端末発呼を正常終了できずセンタ装置１１からの応答を検知できなかった場合の端末網制御装置１５の動作状態の遷移図と空き端子２４が出力する波形を示す図である。スタンバイ状態１０１からダイヤル１０６までの処理は、上述した図３と同様である。ダイヤル１０６後、センタ装置１１からの応答待ち１０７を行い、応答無しでスタンバイ状態１０９となった場合、すなわち、終了電文を受信できなかった場合は動作ＮＧとして、端子出力波形４００のデータをメモリ２０に記憶保存しておく。
【００１９】
図５は、端末発呼を正常終了できずダイヤル動作しなかった場合の端末網制御装置１５の動作状態の遷移図と空き端子２４が出力する波形を示す図である。スタンバイ状態１０１からループ１０５までの処理は、上述した図３と同様である。そして、端末発呼を正常終了できずにダイヤル動作しない場合、すなわち、ループ１０５の後にスタンバイ状態１０９となった場合は、動作ＮＧとして、端子出力波形５００のデータをメモリ２０に記憶保存しておく。
【００２０】
図６は、本発明の端末網制御装置において、端末発呼時の動作状態の実施形態を示す動作フローチャートである。図７は、本発明の端末網制御装置において、端末発呼時、空き端子２４に出力するパルス幅の例を示す。
【００２１】
図７に示すように、それぞれの端末網制御装置１５の動作状態を示すデータを処理の種類ごとに変えて構成することができる。例１では、常にＨレベルとする処理（リンガーチェック、ループ、センタ装置からの応答待ち）の間に１ｍｓ（オンフックチェック）と２ｍｓ（ダイヤル）の異なるパルス幅を介在する構成としている。メータ１６との通信とセンタ装置１１との通信については、通信電文そのままとして通信内容を確認できるようにしている。一方、例２では、リンガーチェック、オンフックチェック、ループ、ダイヤル、センタ装置からの応答待ちは、すべて異なるパルス幅として、メータ１６との通信とセンタ装置１１との通信については通信電文そのままとしている。
【００２２】
図６に示すように、メータ起動の発呼要因が発生すると、空き端子２４に出力する波形パターンの記憶を開始する（ステップＳ１）。通信中かどうか確認し（ステップＳ２）、通信中でない場合、端末網制御装置１５の動作状態に従ったパルス幅のパルス出力を行う（ステップＳ３）。例えば図７の例１にて、端末網制御装置１５の空き端子２４に出力するパルス幅を出力する。通信中の場合、通信電文そのままのパルス出力をする（ステップＳ４）。例えばメータ１６との通信の場合、２００ｂｐｓ（１パルス５ｍｓ）や３００ｂｐｓ（１パルス３．３ｍｓ）であり、センタ通信では３００ｂｐｓとなっている。端末網制御装置１５の動作状態が変化するかどうか確認し（ステップＳ５）、変化していなければそのままパルス出力を継続し、変化した場合、スタンバイ状態に戻るのかどうか確認する（ステップＳ６）。スタンバイ状態に戻らない場合、端末網制御装置１５の動作状態に従ったパルス幅をセットする（ステップＳ７）。例えば図７の例１に従い、端末網制御装置１５の空き端子２４に出力するパルス幅をセットする。スタンバイ状態に戻る場合、終了電文を受信したかどうか確認する（ステップＳ８）。終了電文を受信している場合、正常終了しているので一時的に記憶していた波形パターンの記憶データを破棄する（ステップＳ９）。メモリ２０には制限があるので正常終了したときは一時的に記憶していたデータを破棄する。終了電文を受信していなかった場合、何らかの原因で正常終了していないので、波形パターンのデータ記憶をする（ステップＳ１０）。
【００２３】
本実施例は、メータからの起動で開始する端末発呼通信を例として示したが、センタ装置１１からの起動で開始するセンタ通信も同様に動作状態の波形パターンの記憶を行うことも可能である。
【００２４】
波形パターンのデータ記憶したものを再生する方法は、いくつかあり、例えば端末網制御装置１５をセンタ通信やメータ起動などで動作させた終了時に出力させることや、センタ装置１５から出力させるための電文を送信することで再生する方法などがある。
【００２５】
波形パターンのデータ記憶したものを再生した結果、図４の場合は端末網制御装置のダイヤル動作に問題がありセンタ装置１１からの応答が確認できていないことがわかる。ダイヤル方法には、ダイヤルパルス信号送出と押しボタンダイヤル信号送出があり、回線形態の変更や光回線用装置の変更などで対応するダイヤルの種別が異なったため正常に回線接続できない場合がある。よって、この場合は、端末網制御装置１５のダイヤルの種別の設定を変更することで問題解決できると分析できる。
【００２６】
図５の場合は端末網制御装置１５がダイヤル動作していないことから、後方電話機１７がオフフック（受話器が上げられた状態）していると誤認識していることがわかる。よって、この場合は、端末網制御装置１５のオフフック検知回路２１が故障したと分析できる。
【００２７】
また、記憶データを元に端末網制御装置１５の動作状態を再現することで、市場から端末網制御装置１５を撤去し、持ち帰り分析する場合でも同様に不具合現象を再現させて、波形パターン確認だけでなく、実動作を確認することができ、それによって各動作タイミングでの消費電流値、送出信号レベル値、各回路が正常動作しているかなどの詳細な分析までもできる。
【００２８】
一般の表示装置（オシロスコープなど）を空き端子２４に接続することにより、端末網制御装置１５の動作状態を時系列で確認でき、動作ＮＧとなる場合どういうタイミングでＮＧとなるのかを分析でき、また毎回不具合が再現しない場合でも過去に発生した不具合状態を波形パターンで再生でき、どういう状態で動作ＮＧとなったかが分析できる。また端末網制御装置１５の設置時、回線接続、電話機接続、メータ接続の間違いを工事者が容易に確認できる。さらに市場から端末網制御装置１５を撤去し、持ち帰り分析する場合でも同様に不具合現象を再現させて、波形パターン確認だけでなく、実動作を確認することができ、それによって各動作タイミングでの消費電流値、送出信号レベル値、各回路が正常動作しているかなどの分析までもできる。
【符号の説明】
【００２９】
１１  センタ装置
１２  センタ側交換局
１３  電話回線
１４  端末側交換局
１５  端末網制御装置
１６  メータ
１７  電話機
１８  回線制御部
１９  マイクロコンピュータ
２０  メモリ
２１  オフフック検知部
２２  電源部
２３  メータＩ／Ｆ部
２４  空き端子
【図１】
2012095100.tif 000003
【図２】
2012095100.tif 000004
【図３】
2012095100.tif 000005
【図４】
2012095100.tif 000006
【図５】
2012095100.tif 000007
【図６】
2012095100.tif 000008
【図７】
2012095100.tif 000009